(57)【要約】【課題】シャワー装置を大型化した場合であっても良好なシャワーの浴び心地を確保することのできる、シャワー水を断続吐水するパルスシャワー装置を提供する。【解決手段】複数のシャワー孔を備えた散水板と、水流を羽根１０２に当てることで軸周りに回転運動する羽根車３６とを含み、羽根車３６には、シャワー孔を覆うシャワー孔遮断部１１０と、散水板内面に向けて開放された形態のシャワー孔開放部１１２とを周方向に交互に備え、羽根車３６の回転によりシャワー孔遮断部１１０及びシャワー孔開放部１１２を軸周りに回動運動させて、シャワー孔からパルス状に断続吐水するパルスシャワー装置において、同一円周上に位置するシャワー孔遮断部１１０及びシャワー孔開放部１１２の数を、外周側において内周側よりも多くし、外周側でのシャワー孔の遮断から開放及び開放から遮断までの時間間隔を、内周側での時間間隔よりも短くする。【選択図】        図９
2014140547.tif 000002
【特許請求の範囲】
【請求項１】
内面から外面へ貫通した複数のシャワー孔を備えた散水板と、
該散水板の内面の上流側に設けられ、水流を羽根に当てることで軸周りに回転運動する羽根車と、
を含み、該羽根車には、散水板内面側の下流部位において該散水板内面に沿って所定周長に亘り延びる形態で設けられ、前記シャワー孔を覆うシャワー孔遮断部と、該散水板内面に向けて開放された形態のシャワー孔開放部と、を周方向に交互に備え、
前記羽根車の回転により該シャワー孔遮断部及びシャワー孔開放部を前記軸周りに回動運動させて、前記シャワー孔を断続的に遮断及び開放し、該シャワー孔からパルス状に断続吐水するパルスシャワー装置において、
同一円周上に位置する前記シャワー孔遮断部及びシャワー孔開放部の数を、外周側において内周側よりも多くし、外周側でのシャワー孔の遮断から開放及び開放から遮断までの時間間隔を、内周側での時間間隔よりも短くしたことを特徴とするパルスシャワー装置。
【発明の詳細な説明】
【技術分野】
【０００１】
この発明はシャワー吐水装置に関し、詳しくはシャワー孔からシャワー水をパルス状に断続吐水するパルスシャワー装置に関する。
【背景技術】
【０００２】
従来、シャワー孔を断続的に遮断及び開放することによって、シャワー孔からシャワー水をパルス状に断続吐水するパルスシャワー装置が公知である。
従来において、この種のパルスシャワー装置としては、内面から外面へ貫通した複数のシャワー孔を備えた散水板と、散水板の内面の上流側に設けられ、水流を羽根に当てることで軸周りに回転運動する羽根車とを含み、その羽根車には、散水板内面側の下流部位において散水板内面に沿って所定周長に亘り延びる形態で設けられ、シャワー孔を覆うシャワー孔遮断部と、散水板内面に向けて開放された形態のシャワー孔開放部とを周方向に交互に備えた構造のものが一般的である。
このパルスシャワー装置では、羽根車の回転によりシャワー孔遮断部及びシャワー孔開放部を軸周りに回動運動させてシャワー孔を断続的に遮断及び開放し、シャワー孔からシャワー水をパルス状に断続吐水する。
【０００３】
例えば下記特許文献１には、噴水孔（シャワー孔）(74)を備えたキャップ（散水板）(70)と、その上流側の羽根車(56)とを含み、その羽根車(56)には半周に亘ってシャワー孔遮断部としての覆い板(60)を、また残りの半周に亘ってシャワー孔開放部を備え、羽根(57)への水流の作用により羽根車(56)を回転運動させてシャワー孔遮断部としての覆い板(60)，シャワー孔開放部を軸周りに回動運動させ、シャワー孔を断続的に遮断及び開放し、シャワー水をパルス状に断続吐水する点が開示されている。
【０００４】
また下記特許文献２には、シャワー孔(118)を備えた散水板(58)と、その上流側の羽根車(124)とを含み、その羽根車(124)には半周に亘ってシャワー孔遮断部(130)を、また残りの半周に亘ってシャワー孔開放部を備え、羽根車(124)の回転によりシャワー孔遮断部(130)，シャワー孔開放部を軸周りに回動運動させてシャワー孔(118)を断続的に遮断及び開放し、シャワー水をパルス状に断続吐水する点が開示されている。
【０００５】
ところで特許文献１，特許文献２の何れに記載のものも、パルスシャワー装置（羽根車の回転によりシャワー水を断続吐水する装置）の散水板として利用されているのは、シャワーヘッドの散水板全体の内周側の一部分のみであって、散水板（詳しくはシャワー装置として使用されている部分）及び羽根車は小径で、パルスシャワー装置自体は小型である。
【０００６】
これに対してパルスシャワー装置を大型化したとき、例えばシャワーヘッドの大径の散水板を外周部に到るまで全体的にパルスシャワー装置の散水板として用い、また散水板の大径化に伴って羽根車を大径化し、パルスシャワー装置を大型化したとき、単に小さな（小径の）羽根車の形状をそのまま大きく（大径化）しただけであると、シャワーの浴び心地が悪化してしまうことが判明した。
例えば半周分がシャワー孔遮断部とされ、残りの半周分がシャワー孔開放部とされた小径の羽根車を、形状をそのままにして大径化した場合、シャワーの浴び心地が悪化してしまうのである。具体的には、断続吐水されるシャワー水の断続感が強くなってしまう。
【０００７】
その理由は次のような理由によるものと考えられる。
以下これを図１３の模式図を参照して説明する。
図１３において、２００Ａは小型のパルスシャワー装置２０５Ａにおける小径の羽根車を、２００Ｂは大型のパルスシャワー装置２０５Ｂにおける大径の羽根車を、また２０２Ａ，２０２Ｂは羽根車２００Ａ，２００Ｂに備えたシャワー孔遮断部を、２０４Ａ，２０４Ｂはシャワー孔開放部を、更に２０６は散水板に設けられた散水孔をそれぞれ表している。
【０００８】
ここで小型のパルスシャワー装置２０５Ａにおいて、シャワー孔遮断部２０２Ａにて遮断状態にあるシャワー孔２０６ａに着目すると、このシャワー孔２０６ａは、羽根車２００Ａの回転時にｔ１秒の間は遮断状態となり、その後のｔ２秒（ｔ１＝ｔ２）の間は開放状態となる。
この点は大型のパルスシャワー装置２０５Ｂの内周側のシャワー孔２０６ａについても同様で、シャワー孔遮断部２０２Ｂにて遮断状態となる時間はｔ１秒で、シャワー孔開放部２０４Ｂにて開放状態となる時間はｔ２秒である。
【０００９】
一方大型のパルスシャワー装置２０５Ｂの外周側のシャワー孔２０６ｂ，２０６ｃについて見ると、それらシャワー孔２０６ｂ，２０６ｃを遮断作用するシャワー孔遮断部２０２Ｂの外周側の周方向長が、小型のパルスシャワー装置２０５Ａにおけるシャワー孔遮断部２０２Ａの周方向長よりも長いにも拘らず、遮断状態におかれるのはｔ１秒の間であり、またシャワー孔開放部２０４Ｂにて開放状態におかれる時間はｔ２秒間であって、シャワー孔２０６ａの場合と同様である。
【００１０】
小型のパルスシャワー装置２０５Ａの羽根車２００Ａ，大型のパルスシャワー装置２０５Ｂの羽根車２００Ｂの回転数が何れもｎ１で同じであれば、シャワー孔遮断部２０２Ｂの外周側の部分の周速が、シャワー孔遮断部２０２Ａの周速に比べて速くなるだけで、回転速度（回転数）自体は同じであり、シャワー孔が遮断から開放に、また開放から遮断に到るまでの時間間隔は、シャワー孔２０６ａも、２０６ｂ，２０６ｃも同じとなる。
にも拘らず大型のパルスシャワー装置２０５Ｂの場合、体感的にシャワー水が断から続に、また続から断に切り替るまでの時間間隔が長く感じられて断続感が強く、シャワーの浴び心地が悪化してしまうのである。
【００１１】
その理由の１つとして、内周側の部分ではシャワーの出る孔の位置が変化して行っても、シャワー孔全体が内周側の狭いエリアにあるために、体感的にその変化をあまり強く感じない一方で、外周側の部分ではシャワー孔の存在エリアが拡く且つ数も多いために、シャワー水の出ている領域と出ていない領域とのそれぞれの偏在感が強く、従ってまたシャワー水の出ている領域，出ていない領域の移動が強く感じられ、それらがシャワー水の断続感の強さに繋がるものと考えられる。
【００１２】
何れにしてもシャワー水を断続吐水するパルスシャワー装置にあっては、断続感を与えることが必要である一方で、強すぎる断続感はシャワーの浴び心地を悪くするもので好ましくなく、その改善が求められていた。
【先行技術文献】
【特許文献】
【００１３】
【特許文献１】特開平５−１１５５２０号公報
【特許文献２】特開２０１２−１３５６０６号公報
【発明の概要】
【発明が解決しようとする課題】
【００１４】
本発明は以上のような事情を背景とし、パルスシャワー装置を大型化した場合であっても良好な浴び心地を確保することのできる、シャワー水を断続吐水するパルスシャワー装置を提供することを目的としてなされたものである。
【課題を解決するための手段】
【００１５】
而して請求項１のものは、内面から外面へ貫通した複数のシャワー孔を備えた散水板と、該散水板の内面の上流側に設けられ、水流を羽根に当てることで軸周りに回転運動する羽根車と、を含み、該羽根車には、散水板内面側の下流部位において該散水板内面に沿って所定周長に亘り延びる形態で設けられ、前記シャワー孔を覆うシャワー孔遮断部と、該散水板内面に向けて開放された形態のシャワー孔開放部と、を周方向に交互に備え、前記羽根車の回転により該シャワー孔遮断部及びシャワー孔開放部を前記軸周りに回動運動させて、前記シャワー孔を断続的に遮断及び開放し、該シャワー孔からパルス状に断続吐水するパルスシャワー装置において、同一円周上に位置する前記シャワー孔遮断部及びシャワー孔開放部の数を、外周側において内周側よりも多くし、外周側でのシャワー孔の遮断から開放及び開放から遮断までの時間間隔を、内周側での時間間隔よりも短くしたことを特徴とする。
【発明の作用・効果】
【００１６】
以上のように本発明は、羽根車の回転によりシャワー孔遮断部及びシャワー孔開放部を軸周りに回動運動させて、シャワー孔を断続的に遮断及び開放し、シャワー孔から断続吐水するパルスシャワー装置において、同一円周上に位置するシャワー孔遮断部及びシャワー孔開放部の数を、外周側において内周側よりも多くし、外周側でのシャワー孔の遮断から開放及び開放から遮断までの時間間隔を、内周側での時間間隔よりも短くしたもので、本発明においては、パルスシャワー装置を大型化した場合であってもシャワー水の断続感を緩和し、強すぎるシャワー水の断続感によってシャワーの浴び心地が悪化するのを防ぐことができ、使用者に対して快適なシャワーの浴び心地を感じさせることができる。
【００１７】
本発明では、外周側における同一円周上のシャワー孔遮断部，シャワー孔開放部の周方向長の、全周長に対する比率を、内周側での同一円周上のシャワー孔遮断部，シャワー孔開放部の周方向長の、全周長に対する比率よりも小さくしておくことができる。
尚ここでシャワー孔遮断部及びシャワー孔開放部は、同一円周上において全周長に対する周方向長の比率が０．０４以上のものを意味し、それよりも比率の小さなものは含まない。
【図面の簡単な説明】
【００１８】
【図１】本発明の一実施形態のシャワーヘッドを示した図である。
【図２】図１のシャワーヘッドの内部構造を示した図である。
【図３】図２の要部を更に拡大した図である。
【図４】図２のシャワーヘッドの構成部品を分解して示した斜視図である。
【図５】図４で示したシャワーヘッドの構成部品の断面図である。
【図６】図４の羽根車ユニットを更に分解して示した図である。
【図７】同羽根車ユニットを組付状態で示した図である。
【図８】図４の旋回流生成部材を異なった方向で示した図である。
【図９】（Ａ）図６における羽根車の上面の形状を示した図である。（Ｂ）同羽根車の底部の下面の形状を示した図である。
【図１０】（Ａ）同実施形態の羽根車とシャワー孔との関係を示した模式図である。（Ｂ）同羽根車のシャワー孔遮断部及びシャワー孔開放部を示した図である。
【図１１】（Ａ）図２のイ−イ断面図である。（Ｂ）図２のロ−ロ断面図である。
【図１２】本発明の他の実施形態の要部を示した図である。
【図１３】本発明の解決課題となる問題点を説明するために示した模式図である。
【発明を実施するための形態】
【００１９】
次に本発明の実施形態を図面に基づいて詳しく説明する。
図１において、１０はシャワーヘッド（パルスシャワー装置）で、１２はその握り部、１４は頭部、１６は頭部１４に設けられた散水板である。
散水板１６には、その内面から外面（下面）へ貫通した多数のシャワー孔１８が、４重の同心円をなすように設けられている。
図中１８-１は最外周のシャワー孔を、１８-２はその次の内周側のシャワー孔を、１８-３は更にその次の内周側のシャワー孔を、１８-４は最内周のシャワー孔をそれぞれ示している。
【００２０】
図２に、シャワーヘッド１０における頭部１４の内部構造が具体的に示してある。
図２に示しているようにシャワーヘッド１０の頭部１４は、上ケース２０と、上ケース２０の図中下端の開口部を閉鎖する下ケースとしてのキャップ２２とを有している。
上ケース２０は円筒形状の周壁部２４を有しており、そこに雌ねじ部が設けられている。
一方キャップ２２は円筒形状の立上り部２６を有しており、そこに雄ねじ部が設けられている。
キャップ２２は、それら雄ねじ部と雌ねじ部とにより、上ケース２０に対してねじ結合されている。
【００２１】
図２〜図５に頭部１４の内部構造が詳しく示してある。
図２，図４及び図５に示しているように、頭部１４の内部にはノズルシート２８，リング状のパッキン３０，羽根車ユニット３２及び旋回流生成部材３４が組み込まれている。
ここで羽根車ユニット３２は、図２及び図３に示しているように羽根車３６と、これを内部に収める羽根車ハウジング３８とを有している。
また羽根車ハウジング３８は、ノズルシート押えを兼ねたハウジング本体４０と、蓋体４２とから成っている。
【００２２】
この実施形態において、ノズルシート２８，パッキン３０を除く他の各部材、詳しくは上ケース２０，キャップ２２，羽根車ユニット３２における羽根車３６，羽根車ハウジング３８及び旋回流生成部材３４の何れもが硬質の樹脂製とされている。
【００２３】
この実施形態において、散水板１６は、キャップ２２の底部４４と、これに重ねられたノズルシート２８のシート部４６と、更にこれに重ねられたハウジング本体４０の底部４８との３重積層構造で構成されている。
【００２４】
ノズルシート２８はゴム製（他のエラストマー材料から成るものであっても良い）であり、このノズルシート２８はシート部４６と、シート部４６から下向きに突き出した多数のノズル部５０とを有しており、各ノズル部５０が、樹脂製のキャップ２２の底部４４に形成された挿通孔５２を挿通して、それぞれの先端部が下向きに突き出している。
これら複数のノズル部５０は、内部にノズル孔１８Ａを有しており、それらノズル孔１８Ａによってシャワー孔１８の下部を形成している。
ここでノズル孔１８Ａは孔径がφ０．８ｍｍである。
【００２５】
ノズルシート２８のシート部４６は、図３及び図４に示しているように図中下面が下向きに凸、図中上面が下向きに凹となるような湾曲形状をなしており、そしてその下面から直角に立下る形状で、各ノズル部５０がシート部４６に一体に形成されている。
これに対応して上記のノズル押えを兼ねたハウジング本体４０は、その下面がノズルシート２８におけるシート部４６の凹曲面に対応した凸曲面を成している。
ハウジング本体４０の底部４８には、ノズル孔１８Ａと連通し、上記のシャワー孔１８の上部を形成する多数の連通孔１８Ｂが底部４８を貫通して設けられている。
【００２６】
図２において、上ケース２０にはその中央部に円筒部５４が設けられており、その内部に有底円筒形状をなす樹脂製の水路形成部材５６が組み込まれている。
円筒部５４にはまた、旋回流生成部材３４の中央部において上向きに立上る円筒部５８が挿入されており、それら水路形成部材５６と円筒部５８とによって、その内側に水路６０からの水を流入させる流入室６２が形成されている。
【００２７】
旋回流生成部材３４は、中心側から外周側に向って下向きに穏やかに傾斜した後、軸線と直交方向（軸直角方向）に平坦形状で拡がる上壁部６４と、上壁部６４の外周端で下向きに立下る円筒形状の周壁部６６とを有しており、それら上壁部６４と羽根車ハウジング３８の蓋体４２との間に、旋回流を生成させるための水室６８を形成している。
【００２８】
この旋回流生成部材３４には、その上壁部６４から立下り、内周端から外周端に向って部分螺旋形状で延びる固定羽根７０が設けられており、その固定羽根７０が、羽根車ハウジング３８における蓋体４２の上面に当接せしめられている。
旋回流生成部材３４は、水路６０から流入室６２内に流入し、更に流入室６２を図中下向きに軸方向に流れた水を軸直角方向の流れに変えて、これを外周側へと流動させる。
【００２９】
その際に、部分螺旋形状をなす固定羽根７０の整流及び案内作用によって、外周側に向って軸直角方向に流れる水の流れを旋回流として、これを円筒形状の周壁部６６へと当接させる。
周壁部６６へと当接した水の流れは、その後、流れの向きが反転されて軸直角方向内方への流れとなり、羽根車ユニット３２における羽根車ハウジング３８の内部へと勢い良く流入する。
【００３０】
羽根車ユニット３２は、羽根車ハウジング３８の内側に水室７２を形成しており、そこに羽根車３６を回転可能に収容している。
羽根車ハウジング３８は、上記のようにハウジング本体４０と蓋体４２とに分かれていて、そのハウジング本体４０がノズル押えを兼ねて構成されている。
ハウジング本体４０は、円筒状の周壁部７４と底部４８とを有し、上端が開放された形状の部材で、その上端の開放部が蓋体４２にて閉鎖されている。
このハウジング本体４０には、底部４８の中心部にこれを貫通する固定孔７６が設けられている。
【００３１】
一方蓋体４２には、その中心部から立下る軸部７８が設けられている。この軸部７８には、更にその下側に弾性爪８０が設けられており、この弾性爪８０が、ハウジング本体４０の上記の固定孔７６に挿入されて固定孔７６に弾性掛止されている。そして固定孔７６に対する弾性爪８０の掛止によって蓋体４２とハウジング本体４０とが組み付けられる。
【００３２】
図６及び図７に示しているように、ハウジング本体４０における周壁部７４には、その上端部且つ内周側に、外周側の部分に対して段違い形状で図中上向きに突出した、周方向に環状をなす内嵌部８２が設けられている。
一方蓋体４２には、外周部に図中下向きに曲り形状をなす曲り部８４が設けられている。
この曲り部８４の外周側の部分は環状の外嵌部８６とされており、この外嵌部８６がハウジング本体４０における上記の内嵌部８２に対して外嵌状態に嵌合せしめられている。
【００３３】
この蓋体４２の曲り部８４には、旋回流生成部材３４の周壁部６６に当接して流れの向きを内向きに反転させた水流を、羽根車ハウジング３８内の水室７２に向けて通過させる噴射口８８が、周方向に一定ピッチで多数設けられている。
これら噴射口８８を通過した水流は噴射水流となって水室７２内の羽根車３６、詳しくはその羽根１０２に勢い良く当って羽根車３６を回転駆動する。
ここで噴射口８８は曲り部８４の外面で開口している。図７（Ｂ）中９０はその開口を示している。
【００３４】
これら噴射口８８は、図１１（Ｂ）に示しているように蓋体４２の曲り部８４及びハウジング本体４０の周壁部７４の周方向に対して傾斜せしめられている。
ここで噴射口８８の傾斜の向きは、旋回流を生じながら旋回流生成部材３４の周壁部６６に当って流れの向きを内向きに反転させた水流を、その旋回流を維持させつつ水室７２内の羽根車３６に噴射するように定められている。
【００３５】
以上の説明から明らかなように、この実施形態では羽根車ハウジング３８が、詳しくはその蓋体４２が上流部からの水を通過させ、その通過水を噴射水流として羽根車３６に衝突させ、羽根車３６を回転駆動する水流噴射部材として構成されている。
【００３６】
尚図６に示しているように、蓋体４２には周方向に１８０°隔たった２個所に位置決凸部９２が設けられている。
一方ハウジング本体４０の周壁部７４には、対応する位置に位置決凹部９４が設けられている。
蓋体４２とハウジング本体４０とは、それら位置決凸部９２と位置決凹部９４との凹凸嵌合により、周方向に位置決めされている。
【００３７】
図８に示しているように、旋回流生成部材３４にもまた同様に位置決凹部９６が設けられており、その位置決凹部９６に対する蓋体４２の位置決凸部９２の凹凸嵌合に基づいて、蓋体４２と旋回流生成部材３４とが周方向に位置決めされている。即ち羽根車ハウジング３８が、旋回流生成部材３４に対して周方向に位置決めされている。
【００３８】
尚この実施形態では、図２においてキャップ２２を上ケース２０に上向きにねじ込むと、旋回流生成部材３４がリング状のパッキン３０を介して図中上向きに押し上げられ、そして上ケース２０の円筒部５４に当接する状態に固定され、組み付けられる。
またこのとき、羽根車ユニット３２における羽根車ハウジング３８が旋回流生成部材３４の固定の固定羽根７０に当って、キャップ２２の底部４４とともに挟み込まれ、羽根車ハウジング３８が固定される。
このときノズルシート２８には、その挟み込みの力によってノズル押えを兼ねたハウジング本体４０から下向きの力が加わり、ノズルシート２８がキャップ２２の底部４４に対して下向きに押圧される。
【００３９】
尚図４において、リング状のパッキン３０には樹脂製のメッシュ材から成る環状シート９８が設けられており、組付状態でこの環状シート９８が、最外周のシャワー孔１８-１を覆う位置で散水板１６の内面に、詳しくはノズルシート２８におけるシート部４６の内面に重ねられている。
【００４０】
図９〜図１１に羽根車３６の具体的な形状が示してある。
図に示しているように羽根車３６は、中心部に円筒状の嵌合部１００を有しており、この嵌合部１００が、羽根車ハウジング３８における蓋体４２の中心部の軸部７８に嵌合せしめられている（図２，図３参照）。
羽根車３６は、これら軸部７８と嵌合部１００との嵌合に基づいて、軸部７８周りに回転運動せしめられる。
尚、嵌合部１００は他部よりも僅かに図３中下向きに突出せしめられていて、その突出部においてハウジング本体４０の内面に当接し、回転時における羽根車３６の全体を、後述のボール１０８とともに支持するようになっている。
【００４１】
図９〜図１１に示しているように羽根車３６は、中心側から外周側に向って部分螺旋形状で延びる羽根１０２を周方向に一定ピッチで多数有している。これら羽根１０２は、図１１に示しているように旋回流生成部材３４における上記の固定羽根７０とは、平面視で逆方向の部分螺旋形状をなすように設けられている。
また周方向に１２０°ごと異なった３個所に、ボール保持部１０４を有している。
これらボール保持部１０４は、図３及び図９（Ｂ）に示すように保持穴１０６を有していて、そこに樹脂製で硬質のボール１０８を保持している。
ボール１０８は、保持穴１０６からその下部が僅かに図３中下向きに突出しており、その突出部分において羽根車ハウジング３８におけるハウジング本体４０の底部４８内面に転動可能に当接せしめられている。
ここで保持穴１０６の内面は略部分球面状をなしている。但しその内面及び図中下端の開口の大きさはボール１０８よりも僅かに大きい。
【００４２】
これら羽根１０２は、最外周のリブ状の連結部１０９，これよりも内周側のリブ状の連結部１１１及び更に内周側のリブ状の連結部１１３、更に後述のシャワー孔遮断部１１０にて互いに連結されている。
ここで連結部１０９，１１１，１１３は何れも同心の円弧形状をなしている。
【００４３】
羽根車３６にはその下流部位に、ハウジング本体４０の底部４８内面に沿って所定周長で延び、羽根車３６の図中下面を部分的に閉鎖するシャワー孔遮断部１１０が設けられている。シャワー孔遮断部１１０は底部４８の連通孔１８Ｂ、即ちシャワー孔１８を覆ってこれを遮断作用する。
羽根車３６にはまた、シャワー孔遮断部１１０を除いた部分において、ハウジング本体４０の底部４８内面に向けて開放された(但し羽根１０２，上記の連結部１０９，１１１，１１３を除く)シャワー孔開放部１１２が設けられている。
【００４４】
ここでシャワー孔遮断部１１０に位置する羽根１０２は、シャワー孔遮断部１１０の図中上面に設けられている。
またシャワー孔開放部１１２に設けられている羽根１０２の一部は付根側の部分がアーム１１４とされて、かかるアーム１１４にて中心部の円筒状の嵌合部１００に繋がれている。
【００４５】
この実施形態では、連結部１１３に対して内周側のシャワー孔遮断部はシャワー孔遮断部１１０Ａの１つだけであるのに対して、これよりも外周側ではシャワー孔遮断部１１０Ｂ-１，１１０Ｂ-２，１１０Ｂ-３の３つのシャワー孔遮断部が設けられている。
同様に内周側のシャワー孔開放部はシャワー孔開放部１１２Ａの１つだけであるのに対して、外周側にはシャワー孔開放部１１２Ｂ-１，１１２Ｂ-２，１１２Ｂ-３の３つのシャワー孔開放部が設けられている。
【００４６】
尚シャワー孔遮断部１１０Ａは半周に亘って設けられており、その周方向長ＬＡ（図１０参照）の全周長（同じ円周での周長）に対する比率は、全周長を１として０．５である。
シャワー孔開放部１１２Ａについても同様で、シャワー孔開放部１１２Ａの周長ＭＡの全周長に対する比率は０．５である。
【００４７】
一方外周側のシャワー孔遮断部１１０Ｂ-１の周方向長ＬＢ-１の全周長に対する比率は０．２１、シャワー孔遮断部１１０Ｂ-２の周方向長ＬＢ-２の全周長に対する比率は０．２８であり、それらＬＢ-１及びＬＢ-２を合せた全周長に対する比率はほぼ０．５で、内周側のシャワー孔遮断部１１０Ａの周方向長ＬＡの全周長に対する比率とほぼ同様である。
つまり外周側においては、半周分のシャワー孔遮断部がシャワー孔遮断部１１０Ｂ-１と１１０Ｂ-２とに分散された形となっている。
【００４８】
尚外周側の今一つのシャワー孔遮断部１１０Ｂ-３は、主としてボール保持部１０４のために設けられたものである。因みにこのシャワー孔遮断部１１０Ｂ-３の周方向長ＬＢ-３の全周長に対する比率は０．０８である。
尚シャワー孔開放部１１２Ｂ-１の周長ＭＢ-１の全周長に対する比率は０．２５，シャワー孔開放部１１２Ｂ-３の周方向長ＭＢ-３の全周長に対する比率は０．１２，シャワー孔開放部１１２Ｂ-２の周方向長ＭＢ-２の全周長に対する比率は０．０５である。
【００４９】
次に本実施形態のパルスシャワー装置の作用を説明する。
本実施形態のパルスシャワー装置では、図２の水路６０から流入室６２内に流入した水は同図中下向きに軸方向に流れた後、旋回流生成部材３４によって軸直角方向外向きの流れにその向きが変えられる。
即ち中心部の軸方向の水流は、旋回流生成部材３４の水室６８内で軸直角方向外向きの流れとなり、その際に旋回流生成部材３４の固定羽根７０による作用によって、その外向きの流れが旋回流とせしめられる。
【００５０】
その外向きの旋回流は、旋回流生成部材３４の周壁部６６に当って、今度はその向きを軸直角方向内方へと向け、水流噴射部材として働く羽根車ハウジング３８の噴射口８８から羽根車３６に対してその側方から噴射される。
その噴射水流は、図１１のＰ方向の旋回流を維持しながら、羽根車３６における部分螺旋形状の羽根１０２の凹曲面に向けて当り、羽根車３６を回転駆動する。
【００５１】
詳しくは、羽根車３６を羽根車ハウジング３８のおける蓋体４２の軸部７８周りに回転運動させる。このとき羽根車３６は、周方向３個所に設けたボール１０８によるベアリング作用によって円滑に軸部７８周りに回転運動する。
そしてその回転運動によってシャワー孔遮断部１１０及びシャワー孔開放部１１２を軸部７８周りに回動させ、これによってシャワー孔１８を遮断及び開放し、シャワー水をパルス状に断続吐水させる。
【００５２】
以上のように本実施形態では、同一円周上に位置するシャワー孔遮断部１１０及びシャワー孔開放部１１２の数を、外周側において内周側よりも多くし、外周側でのシャワー孔１８の遮断から開放及び開放から遮断までの時間間隔を、内周側での時間間隔よりも短くしており、このようにすることで、パルスシャワー装置を大型化した場合であってもシャワー水の断続感を緩和し、強すぎるシャワー水の断続感によってシャワーの浴び心地が悪化するのを防ぎ、使用者に対して快適なシャワー水の浴び心地を感じさせることができる。
【００５３】
図１２は、本発明の他の実施形態を示している。
図１２（Ａ）は、シャワー孔遮断部１１０に、これを板厚方向に貫通するスリット孔１１６を設けた例である。
シャワー孔遮断部１１０に対しては、水室７２において下向きに押す力が働く。羽根車３６は、周方向において部分的に働く下向きの力によって円滑な回転が損なわれ易い。
そこでここでは、シャワー孔遮断部１１０に貫通のスリット孔１１６を設け、そのスリット孔１１６で圧抜きをすることによって、羽根車３６の回転を円滑化するようにしている。
通常このスリット孔１１６は、その周方向長の全周長に対する比率が０．０４未満の極めて細いものであるため、スリット孔１１６が実質的にシャワー孔開放部としては働かない。
【００５４】
上記実施形態では、羽根車３６を内周側と外周側とに２つに区画して、外周側についてシャワー孔遮断部及びシャワー開放部の数を内周側よりも多くしているが、図１２（Ｂ）に示しているように羽根車３６を内周部と外周部とそれらの間の中間部とに区画し、内周側に対して中間部のシャワー孔遮断部１１０Ｃを多くし、更に外周部のシャワー孔遮断部１１０Ｂの数を更に多くするといったことも可能である。
尚シャワー孔開放部１１２についても同様で、最内周のシャワー孔１１２Ａに対して中間部のシャワー孔開放部１１２Ｃの数を多くし、更に最外周のシャワー孔開放部１１２Ｂの数を多くするといったことも可能である。
【００５５】
以上本発明の実施形態を詳述したがこれはあくまで一例示であり、本発明はシャワー孔遮断部，シャワー孔開放部の数を上例とは異なった数で設けることが可能である等、その趣旨を逸脱しない範囲において種々変更を加えた形態で構成可能である。
【符号の説明】
【００５６】
１６  散水板
１８，１８−１，１８−２，１８−３，１８−４  シャワー孔
３６  羽根車
１１０，１１０Ａ，１１０Ｂ−１，１１０Ｂ−２，１１０Ｂ−３，１１０Ｃ  シャワー孔遮断部
１１２，１１２Ａ，１１２Ｂ−１，１１２Ｂ−２，１１２Ｂ−３，１１２Ｃ  シャワー孔開放部
【図１】
2014140547.tif 000003
【図２】
2014140547.tif 000004
【図３】
2014140547.tif 000005
【図４】
2014140547.tif 000006
【図５】
2014140547.tif 000007
【図６】
2014140547.tif 000008
【図７】
2014140547.tif 000009
【図８】
2014140547.tif 000010
【図９】
2014140547.tif 000011
【図１０】
2014140547.tif 000012
【図１１】
2014140547.tif 000013
【図１２】
2014140547.tif 000014
【図１３】
2014140547.tif 000015